(57)【要約】  本開示は、選択的チャネルリセットのための方法および装置を提示する。たとえば、本開示では、候補セルがキャリア上でサービングセルが示すよりも優れた通信プロパティを示すと判断することを含み得る例示的な方法について説明する。一態様では、このキャリアはアクティブサービングセルチャネルに対応し得る。例示的な本方法は、上記判断することに基づいてチャネル再構成メッセージにリセットフラグを追加することであって、リセットフラグが、サービングセルに関連するチャネルのセットのサブセットをリセットするようにユーザ機器に命令し、サブセットが上記チャネルを含む、追加することをも含み得る。さらに、例示的な方法は、たとえば、ユーザ機器に、チャネル再構成メッセージを送信することを含み得る。したがって、ユーザ機器に関連するチャネルの指定されたサブセットがリセットされ得、これは、レガシーチャネルリセット方法および装置に関連するシグナリング負荷と、複雑さと、電力消耗とを低減する。
2015505177.tif 000002
【特許請求の範囲】
【請求項１】
選択的チャネルリセットのための方法であって、
候補セルがキャリア上でサービングセルが示すよりも優れた通信プロパティを示すと判断することと、前記キャリアが、前記サービングセルによって使用中のチャネルに対応し、
前記判断することに基づいてチャネル再構成メッセージにリセットフラグを追加することと、前記リセットフラグが、前記サービングセルに関連するチャネルのセットのサブセットをリセットするようにユーザ機器に命令し、前記サブセットが前記チャネルを含み、
前記チャネル再構成メッセージを送信することと
を備える、方法。
【請求項２】
前記チャネル再構成メッセージに基づいて前記候補セルに前記チャネルを転送することをさらに備える、請求項１に記載の方法。
【請求項３】
前記候補セルにハンドオフ指示メッセージを送信することをさらに備える、請求項２に記載の方法。
【請求項４】
前記チャネル再構成メッセージが高速メディアアクセスチャネル（ＭＡＣ−ＨＳ）リセットメッセージを備える、請求項１に記載の方法。
【請求項５】
前記チャネル再構成メッセージが、セル転送命令と、前記チャネルに関連するチャネル識別子とをさらに備える、請求項１に記載の方法。
【請求項６】
前記チャネル再構成メッセージが、前記チャネルの送信電力制御（ＴＰＣ）組合せインデックスの変化を示す、請求項１に記載の方法。
【請求項７】
前記チャネル再構成メッセージが物理チャネル再構成（ＰＣＲ）メッセージを備える、請求項１に記載の方法。
【請求項８】
前記チャネル再構成メッセージが複数のリセットフラグを備え、前記複数のリセットフラグの各々が、前記ユーザ機器によって使用中の追加のチャネルに対応する、請求項１に記載の方法。
【請求項９】
前記複数のリセットフラグの各々が、対応する追加のチャネルをリセットするように前記ユーザ機器に命令する、請求項８に記載の方法。
【請求項１０】
前記チャネル再構成メッセージがオーバージエアメッセージである、請求項１に記載の方法。
【請求項１１】
選択的チャネルリセットのために構成された少なくとも１つのプロセッサであって、
候補セルがキャリア上でサービングセルが示すよりも優れた通信プロパティを示すと判断することと、前記キャリアが、前記サービングセルによって使用中のチャネルに対応し、
前記判断することに基づいてチャネル再構成メッセージにリセットフラグを追加することと、前記リセットフラグが、前記サービングセルに関連するチャネルのセットのサブセットをリセットするようにユーザ機器に命令し、前記サブセットが前記チャネルを含み、
前記チャネル再構成メッセージを送信することと
を行うためのコードを備える、少なくとも１つのプロセッサ。
【請求項１２】
前記チャネル再構成メッセージに基づいて前記候補セルに前記チャネルを転送するためのコードをさらに備える、請求項１１に記載の少なくとも１つのプロセッサ。
【請求項１３】
前記候補セルにハンドオフ指示メッセージを送信するためのコードをさらに備える、請求項１２に記載の少なくとも１つのプロセッサ。
【請求項１４】
前記チャネル再構成メッセージが高速メディアアクセスチャネル（ＭＡＣ−ＨＳ）リセットメッセージを備える、請求項１１に記載の少なくとも１つのプロセッサ。
【請求項１５】
前記チャネル再構成メッセージが、セル転送命令と、前記チャネルに関連するチャネル識別子とをさらに備える、請求項１１に記載の少なくとも１つのプロセッサ。
【請求項１６】
前記チャネル再構成メッセージが、前記チャネルの送信電力制御（ＴＰＣ）組合せインデックスの変化を示す、請求項１１に記載の少なくとも１つのプロセッサ。
【請求項１７】
前記チャネル再構成メッセージが物理チャネル再構成（ＰＣＲ）メッセージを備える、請求項１１に記載の少なくとも１つのプロセッサ。
【請求項１８】
前記チャネル再構成メッセージが複数のリセットフラグを備え、前記複数のリセットフラグの各々が、前記ユーザ機器によって使用中の追加のチャネルに対応する、請求項１１に記載の少なくとも１つのプロセッサ。
【請求項１９】
前記複数のリセットフラグの各々が、対応する追加のチャネルをリセットするように前記サービングセルに命令する、請求項１８に記載の少なくとも１つのプロセッサ。
【請求項２０】
前記チャネル再構成メッセージがオーバージエアメッセージである、請求項１１に記載の少なくとも１つのプロセッサ。
【請求項２１】
候補セルがキャリア上でサービングセルが示すよりも優れた通信プロパティを示すと判断することであって、前記キャリアが、前記サービングセルによって使用中のチャネルに対応し、
前記判断することに基づいてチャネル再構成メッセージにリセットフラグを追加することと、前記リセットフラグが、前記サービングセルに関連するチャネルのセットのサブセットをリセットするようにユーザ機器に命令し、前記サブセットが前記チャネルを含み、
前記チャネル再構成メッセージを送信することと
を行うための実行可能命令を備えるコンピュータ可読媒体。
【請求項２２】
前記チャネル再構成メッセージに基づいて前記候補セルに前記チャネルを転送するための実行可能コードをさらに備える、請求項２１に記載のコンピュータ可読媒体。
【請求項２３】
前記候補セルにハンドオフ指示メッセージを送信するための実行可能コードをさらに備える、請求項２２に記載のコンピュータ可読媒体。
【請求項２４】
前記チャネル再構成メッセージが高速メディアアクセスチャネル（ＭＡＣ−ＨＳ）リセットメッセージを備える、請求項２１に記載のコンピュータ可読媒体。
【請求項２５】
前記チャネル再構成メッセージが、セル転送命令と、前記チャネルに関連するチャネル識別子とをさらに備える、請求項２１に記載のコンピュータ可読媒体。
【請求項２６】
前記チャネル再構成メッセージが、前記チャネルの送信電力制御（ＴＰＣ）組合せインデックスの変化を示す、請求項２１に記載のコンピュータ可読媒体。
【請求項２７】
前記チャネル再構成メッセージが物理チャネル再構成（ＰＣＲ）メッセージを備える、請求項２１に記載のコンピュータ可読媒体。
【請求項２８】
前記チャネル再構成メッセージが複数のリセットフラグを備え、前記複数のリセットフラグの各々が、前記ユーザ機器によって使用中の追加のチャネルに対応する、請求項２１に記載のコンピュータ可読媒体。
【請求項２９】
前記複数のリセットフラグの各々が、対応する追加のチャネルをリセットするように前記ユーザ機器に命令する、請求項２８に記載のコンピュータ可読媒体。
【請求項３０】
前記チャネル再構成メッセージがオーバージエアメッセージである、請求項２１に記載のコンピュータ可読媒体。
【請求項３１】
候補セルがキャリア上でサービングセルが示すよりも優れた通信プロパティを示すと判断するための手段と、前記キャリアが、前記サービングセルによって使用中のチャネルに対応し、
前記判断することに基づいてチャネル再構成メッセージにリセットフラグを追加するための手段と、前記リセットフラグが、前記サービングセルに関連するチャネルのセットのサブセットをリセットするようにユーザ機器に命令し、前記サブセットが前記チャネルを含み、
前記チャネル再構成メッセージを送信するための手段と
を備える、装置。
【請求項３２】
前記チャネル再構成メッセージに基づいて前記候補セルに前記チャネルを転送するための手段をさらに備える、請求項３１に記載の装置。
【請求項３３】
前記候補セルにハンドオフ指示メッセージを送信するための手段をさらに備える、請求項３２に記載の装置。
【請求項３４】
前記チャネル再構成メッセージが高速メディアアクセスチャネル（ＭＡＣ−ＨＳ）リセットメッセージを備える、請求項３１に記載の装置。
【請求項３５】
前記チャネル再構成メッセージが、セル転送命令と、前記チャネルに関連するチャネル識別子とをさらに備える、請求項３１に記載の装置。
【請求項３６】
前記チャネル再構成メッセージが、前記チャネルの送信電力制御（ＴＰＣ）組合せインデックスの変化を示す、請求項３１に記載の装置。
【請求項３７】
前記チャネル再構成メッセージが物理チャネル再構成（ＰＣＲ）メッセージを備える、請求項３１に記載の装置。
【請求項３８】
前記チャネル再構成メッセージが複数のリセットフラグを備え、前記複数のリセットフラグの各々が、前記ユーザ機器によって使用中の追加のチャネルに対応する、請求項３１に記載の装置。
【請求項３９】
前記複数のリセットフラグの各々が、対応する追加のチャネルをリセットするように前記ユーザ機器に命令する、請求項３８に記載の装置。
【請求項４０】
前記チャネル再構成メッセージがオーバージエアメッセージである、請求項３１に記載の装置。
【請求項４１】
選択的チャネルリセットのための方法であって、
候補セルのキャリアの通信プロパティを監視することと、前記キャリアが、サービングセルによって使用中のチャネルに対応し、
前記通信プロパティを報告する測定報告を送信することと、
前記測定報告を送信したことに応答してチャネル再構成メッセージを受信することと、前記チャネル再構成メッセージが、前記サービングセルに関連するチャネルのセットのサブセットをリセットするようにユーザ機器に命令する、１つまたは複数のリセットフラグを備え、前記サブセットが前記チャネルを含み、
前記チャネル再構成メッセージに基づいて前記チャネルのサブセットをリセットすることと
を備える、方法。
【請求項４２】
選択的チャネルリセットのために構成された少なくとも１つのプロセッサであって、
候補セルのキャリアの通信プロパティを監視することと、前記キャリアが、サービングセルによって使用中のチャネルに対応し、
前記通信プロパティを報告する測定報告を送信することと、
前記測定報告を送信したことに応答してチャネル再構成メッセージを受信することと、前記チャネル再構成メッセージが、前記サービングセルに関連するチャネルのセットのサブセットをリセットするようにユーザ機器に命令する、１つまたは複数のリセットフラグを備え、前記サブセットが前記チャネルを含み、
前記チャネル再構成メッセージに基づいて前記チャネルのサブセットをリセットすることと
を行うためのコードを備える、少なくとも１つのプロセッサ。
【請求項４３】
候補セルのキャリアの通信プロパティを監視することと、前記キャリアが、サービングセルによって使用中のチャネルに対応し、
前記通信プロパティを報告する測定報告を送信することと、
前記測定報告を送信したことに応答してチャネル再構成メッセージを受信することと、前記チャネル再構成メッセージが、前記サービングセルに関連するチャネルのセットのサブセットをリセットするようにユーザ機器に命令する、１つまたは複数のリセットフラグを備え、前記サブセットが前記チャネルを含み、
前記チャネル再構成メッセージに基づいて前記チャネルのサブセットをリセットすることと
を行うための実行可能命令を備えるコンピュータ可読媒体。
【請求項４４】
候補セルのキャリアの通信プロパティを監視することと、前記キャリアが、サービングセルによって使用中のチャネルに対応し、
前記通信プロパティを報告する測定報告を送信することと、
前記測定報告を送信したことに応答してチャネル再構成メッセージを受信することと、前記チャネル再構成メッセージが、前記サービングセルに関連するチャネルのセットのサブセットをリセットするようにユーザ機器に命令する、１つまたは複数のリセットフラグを備え、前記サブセットが前記チャネルを含み、
前記チャネル再構成メッセージに基づいて前記チャネルのサブセットをリセットすることと
を備える、装置。
【発明の詳細な説明】
【技術分野】
【０００１】
米国特許法第１１９条による優先権の主張
本特許出願は、本出願の譲受人に譲渡され、参照により本明細書に明確に組み込まれる、「Method and Apparatus for Selectively Resetting and Transferring a Wireless Communication Channel」と題する、２０１１年１１月３０日に出願された仮出願第６１／５６５，３６０号の優先権を主張する。
【０００２】
本開示の態様は、一般にワイヤレス通信システムに関し、より詳細には、ワイヤレスチャネル制御に関する。
【背景技術】
【０００３】
ワイヤレス通信ネットワークは、電話、ビデオ、データ、メッセージング、ブロードキャストなど、様々な通信サービスを提供するために広く展開されている。そのようなネットワークは、通常、多元接続ネットワークであり、利用可能なネットワークリソースを共有することによって複数のユーザのための通信をサポートする。そのようなネットワークの一例は、ＵＭＴＳ地上波無線アクセスネットワーク（ＵＴＲＡＮ：UMTS Terrestrial Radio Access Network）である。ＵＴＲＡＮは、第３世代パートナーシッププロジェクト（３ＧＰＰ：3rd Generation Partnership Project）によってサポートされる第３世代（３Ｇ）モバイルフォン技術である、ユニバーサルモバイル電気通信システム（ＵＭＴＳ：Universal Mobile Telecommunications System）の一部として定義された無線アクセスネットワーク（ＲＡＮ）である。ＵＭＴＳは、モバイル通信用グローバルシステム（ＧＳＭ（登録商標）：Global System for Mobile Communications）技術の後継であり、現在、広帯域符号分割多元接続（Ｗ−ＣＤＭＡ（登録商標））、時分割符号分割多元接続（ＴＤ−ＣＤＭＡ）、および時分割同期符号分割多元接続（ＴＤ−ＳＣＤＭＡ）など、様々なエアインターフェース規格をサポートする。ＵＭＴＳは、高速パケットアクセス（ＨＳＰＡ：High Speed Packet Access）など、拡張型３Ｇデータ通信プロトコルをもサポートし、このプロトコルは、より高いデータ転送速度および容量を、関連するＵＭＴＳネットワークに提供する。
【０００４】
モバイルブロードバンドアクセスに対する需要が高まり続けるにつれて、モバイルブロードバンドアクセスに対する増大する需要を満たすためだけでなく、モバイル通信のユーザエクスペリエンスを進化および向上させるためにも、研究および開発がＵＭＴＳ技術を進化させ続けている。
【０００５】
たとえば、現在、マルチキャリアユーザ機器（ＵＥ）は、所与の時間においてオープンな２つ以上のアクティブ高速メディアアクセスチャネル（ＭＡＣ−ＨＳ：High Speed Media Access Channel）を有し得る。これらのチャネルの各々が、１つまたは複数の基地局によってサービスされる異なるセルとのＵＥ通信を可能にし得る。この機能は、すべてのマルチフローシナリオ、たとえば、シングル周波数デュアルセル（ＳＦＤＣ：Single Frequency Dual Cell）およびデュアル周波数デュアルセル（ＤＦＤＣ：Dual Frequency Dual Cell）で存在する。信号強度または品質など、様々な状態により、無線ネットワークコントローラ（ＲＮＣ）は、ある基地局から第２の基地局に（またはあるセルから別のセルに）ＭＡＣ−ＨＳチャネルを転送することを選択し得る。これは、たとえば、特定のチャネルが、第２の基地局にハンドオフされた場合、よりロバストなデータ転送を有するであろうとき、行われ得る。
【０００６】
現在の動作基準によれば、ＭＡＣ−ＨＳチャネルが転送されるとき、ＲＮＣは、最初に、転送されるべきＭＡＣ−ＨＳチャネルだけでなく、ＵＥに関連するすべてのＭＡＣ−ＨＳチャネルをリセットしなければならない。たとえば、高速パケットアクセス（ＨＳＰＡ）仕様により、基地局は、接続されたＵＥに物理チャネル再構成（ＰＣＲ：Physical Channel Reconfiguration）、無線ベアラ再構成（ＲＢＲ：Radio Bearer Reconfiguration）、またはトランスポートチャネル再構成（ＴＣＲ：Transport Channel Reconfiguration）のメッセージなど、オーバージエア（ＯＴＡ：over the air）メッセージを送ることによって、そのＵＥ上のすべてのＭＡＣ−ＨＳチャネルのリセットをトリガすることが可能になる。ＰＣＲメッセージは、ｔｒｕｅに設定された場合、ＵＥのＭＡＣ−ＨＳチャネルのすべてをリセットするようにＵＥに命令する、フラグ（ｍａｃ−ｈｓＲｅｓｅｔＩｎｄｉｃａｔｏｒ）を含む。ただし、そのメッセージは、特定のＭＡＣ−ＨＳチャネルまたはすべてのＵＥ  ＭＡＣ−ＨＳチャネルのサブセットをリセットまたは転送するようにＵＥに命令することができない。
【０００７】
その結果、２つ以上のＭＡＣ−ＨＳチャネルが特定のＵＥ上でアクティブである場合、ＲＮＣは、すべてのアクティブＭＡＣ−ＨＳチャネルのサブセットをリセットするようにＵＥに命令することができない。代わりに、単一のアクティブＭＡＣ−ＨＳチャネルがリセットされるべきであるとき、ＲＮＣは、ＵＥのアクティブＭＡＣ−ＨＳチャネルのすべてをリセットするようにＵＥに命令しなければならない。いくつかの状況では、これは、リセットを必要としていないいくつかのアクティブＭＡＣ−ＨＳチャネルに対するリセット動作をＵＥに実行させる。これらの必要とされないリセット動作は、性能の不利益、データの損失、帯域幅の浪費、およびバッテリー寿命の低下を生じる。
【０００８】
したがって、ワイヤレス通信チャネルをリセットするための改善された方法および装置が望まれる。
【発明の概要】
【０００９】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【００１０】
本開示は、選択的チャネルリセットのための方法および装置を提示する。たとえば、本開示では、候補セルがキャリア上でサービングセルが示すよりも優れた通信プロパティを示すと判断することを含み得る例示的な方法について説明する。一態様では、このキャリアは、サービングセルによって使用中のチャネルに対応し得る。例示的な本方法は、上記判断することに基づいてチャネル再構成メッセージにリセットフラグを追加することであって、リセットフラグが、上記チャネルに一意に対応し得、上記チャネルをリセットするようにＵＥに命令することができる、追加することをも含み得る。追加または代替として、リセットフラグは、サービングセルに関連するチャネルのセットのサブセットをリセットするようにＵＥに命令することができ、サブセットは上記チャネルを含み得る。さらに、例示的な方法は、たとえば、ＵＥに、チャネル再構成メッセージを送信することを含み得る。
【００１１】
さらに、本開示は、候補セルがキャリア上でサービングセルが示すよりも優れた通信プロパティを示すと判断することと、上記判断することに基づいてチャネル再構成メッセージにリセットフラグを追加することと、チャネル再構成メッセージを送信することとを行うためのコードを含み得る、選択的チャネルリセットのために構成された少なくとも１つのプロセッサを提示する。さらに、本開示は、一態様では、候補セルがキャリア上でサービングセルが示すよりも優れた通信プロパティを示すと判断することと、上記判断することに基づいてチャネル再構成メッセージにリセットフラグを追加することであって、リセットフラグが、サービングセルに関連するチャネルのセットのサブセットをリセットするようにユーザ機器に命令し、サブセットが上記チャネルを含む、追加することと、チャネル再構成メッセージを送信することとを行うための実行可能命令を含んでいることがあるコンピュータプログラム製品を提示する。
【００１２】
さらなる例示的な態様では、本開示は、候補セルの通信プロパティを監視することと、通信プロパティを報告する測定報告を送信することと、測定報告を送信したことに応答してチャネル再構成メッセージを受信することとを含み得る、選択的チャネルリセットのための例示的な方法を提示する。一態様では、チャネル再構成メッセージは、サービングセルによって使用中の１つまたは複数のチャネルに関連する１つまたは複数のリセットフラグを含んでいることがある。さらに、そのような例示的な方法は、チャネル再構成メッセージに基づいて１つまたは複数のチャネルをリセットすることを含み得る。さらに、本開示は、そのような例示的な方法を実行するための例示的な装置、コンピュータ可読媒体、およびプロセッサを提示する。
【００１３】
上記および関係する目的を達成するために、１つまたは複数の態様は、以下で十分に説明し、特に特許請求の範囲で指摘する特徴を備える。以下の説明および添付の図面に、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００１４】
開示する態様について、開示する態様を限定するためにではなく、例示するために与える、添付の図面とともに以下で説明し、同様の表示は同様の要素を示す。
【図面の簡単な説明】
【００１５】
【図１】選択的通信チャネルリセットおよび／または転送を可能にするワイヤレス環境の一態様のシステムレベル図。
【図２】本開示の例示的なコントローラの構成要素を示すブロック図。
【図３】本開示の例示的なユーザ機器の構成要素を示すブロック図。
【図４】本開示の例示的な一般的なコンピュータデバイスの構成要素を示すブロック図。
【図５】ネットワークデバイスに関連する１つまたは複数の通信チャネルを選択的にリセットおよび／または転送する方法の一態様を示すフローチャート。
【図６】ユーザ機器に関連する１つまたは複数の通信チャネルを選択的にリセットおよび／または転送する方法の一態様を示すフローチャート。
【図７】本明細書で企図されるネットワークデバイスの一態様の電気的構成要素の論理グルーピングを示すブロック図。
【図８】本開示で説明する例示的なＵＥ中の電気的構成要素の論理グルーピングを示すブロック図。
【発明を実施するための形態】
【００１６】
次に、図面を参照しながら様々な態様について説明する。以下の説明では、説明のために、１つまたは複数の態様の完全な理解を与えるために多数の具体的な詳細を記載する。ただし、そのような（１つまたは複数の）態様は、これらの具体的な詳細なしに実施され得ることは明らかであろう。
【００１７】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、限定はしないが、プロセッサ上で実行されるプロセス、プロセッサ、オブジェクト、実行ファイル、実行スレッド、プログラム、および／またはコンピュータであり得る。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素が１つのコンピュータ上に配置され得、および／または２つ以上のコンピュータ間に分散され得る。さらに、これらの構成要素は、様々なデータ構造を記憶している様々なコンピュータ可読媒体から実行することができる。これらの構成要素は、信号を介して、ローカルシステム、分散システム内の別の構成要素と相互作用し、および／またはインターネットなどのネットワーク上で他のシステムと相互作用する１つの構成要素からのデータのような、１つまたは複数のデータパケットを有する信号に従うことなどによって、ローカルプロセスおよび／またはリモートプロセスを介して通信し得る。
【００１８】
さらに、本明細書では、ワイヤード端末またはワイヤレス端末であり得る端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様について説明する。基地局は、（１つまたは複数の）ワイヤレス端末と通信するために利用され得、アクセスポイント、ノードＢ、または何らかの他の用語で呼ばれることもある。
【００１９】
さらに、「または」という用語は、排他的な「または」ではなく、包括的な「または」を意味するものとする。すなわち、別段に規定されていない限り、または文脈から明らかでない限り、「ＸはＡまたはＢを採用する」という句は、自然包括的並べ替えのいずれかを意味するものとする。すなわち、「ＸはＡまたはＢを採用する」という句は、ＸがＡを採用する場合、ＸがＢを採用する場合、またはＸがＡとＢの両方を採用する場合のいずれによっても満たされる。さらに、本出願と添付の特許請求の範囲とにおいて使用する冠詞「ａ」および「ａｎ」は、別段に規定されていない限り、または単数形を対象とすることが文脈から明らかでない限り、概して「１つまたは複数」を意味するものと解釈されるべきである。
【００２０】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、ユニバーサル地上波無線アクセス（ＵＴＲＡ:Universal Terrestrial Radio Access）、ｃｄｍａ２０００などの無線技術を実装し得る。ＵＴＲＡは、広帯域ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、モバイル通信用グローバルシステム（ＧＳＭ）などの無線技術を実装し得る。ＯＦＤＭＡシステムは、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ：Long Term Evolution）は、Ｅ−ＵＴＲＡを使用するＵＭＴＳのリリースであり、これは、ダウンリンク上ではＯＦＤＭＡを採用し、アップリンク上ではＳＣ−ＦＤＭＡを採用する。ＵＴＲＡ、Ｅ−ＵＴＲＡ、ＵＭＴＳ、ＬＴＥおよびＧＳＭは、「第３世代パートナーシッププロジェクト」（３ＧＰＰ）と称する団体からの文書に記載されている。さらに、ｃｄｍａ２０００およびＵＭＢは、「第３世代パートナーシッププロジェクト２」（３ＧＰＰ２：3rd Generation Partnership Project 2）と称する団体からの文書に記載されている。さらに、そのようなワイヤレス通信システムは、不対無認可スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００２１】
様々な態様または特徴が、いくつかのデバイス、構成要素、モジュールなどを含み得るシステムに関して提示される。様々なシステムは、追加のデバイス、構成要素、モジュールなどを含み得、および／または各図に関連して論じるデバイス、構成要素、モジュールなどのすべてを含むとは限らないことを理解および諒解されたい。これらの手法の組合せも使用され得る。
【００２２】
説明する態様は、ＵＥと１つまたは複数の基地局との間に確立されたすべてに満たない通信チャネルを選択的にリセットする装置および方法を含む。詳細には、以下で説明する例示的な装置および方法は、すべてに満たない通信チャネルの選択的チャネル転送をトリガするインジケータの受信を含み得る。このインジケータは、現在サービングセルとは異なるセル上でそのチャネルについてより良い状態が存在するとＵＥおよび／またはネットワーク（たとえば基地局または他のネットワークエンティティ）によって判断されたとき、発生し得る。そのインジケータは、どの通信チャネルがリセットされるべきかを明示的にまたは暗黙的にシグナリングし得る。したがって、以下で開示する態様は、１つまたは複数の確立された通信チャネルの選択的リセットを可能にする。
【００２３】
図１に、選択的チャネルリセットおよび／または転送を実行し得る例示的なワイヤレス環境１００を示す。一態様では、サービングセル基地局１０４またはコントローラ１０７が、たとえば、通信リンク１１８および／または１２０を介してインターネット１０８から、サービスを提供するために、ユーザ機器（ＵＥ）１０２との１つまたは複数の通信チャネル（１１０、１１２、１１４）を確立し得る。さらに、いくつかの例では、通信チャネル１１０、１１２、および１１４のいずれかまたはすべてが高速メディアアクセス制御（ＭＡＣ−ＨＳ：High Speed Media Access Control）チャネルを含み得るが、これらのチャネルのうちの１つまたは複数が、任意のＨＳＰＡチャネル、または任意の無線アクセス技術タイプのワイヤレスチャネルであり得る。さらに、いくつかの非限定的な例では、コントローラ１０７は無線ネットワークコントローラ（ＲＮＣ）であり得る。
【００２４】
さらに、ＵＥ１０２はマルチチャネル通信能力を有し得、それにより、ＵＥ１０２は、いくつかの通信チャネル上でネットワークと通信することが可能になる。一態様では、確立された通信チャネル１１０、１１２、１１４の各々が、異なるセルまたはセクタを介してサービングセル基地局１０４と通信し得るが、すべて、同じセルを介しても通信し得る。さらに、通信チャネル１１０、１１２、および／または１１４は、通信が各チャネル上でそれの上で行われる、そのチャネルに固有である対応するキャリア周波数を有し得る。図１は、すべての通信チャネル、たとえばチャネル１１０、１１２、および１１４が初めに単一の基地局によってサービスされることを示しているが、説明する態様は、２つ以上の基地局がそれらのチャネルのすべての一部分をサービスすることを含み得ることに留意されたい。
【００２５】
一態様では、例示的なワイヤレス環境１００の一部または全部の基地局が、１つまたは複数の関連するサービスエリアにサービスを提供し得る。これらのサービスエリアの各々は、セル、セクタ、あるいは基地局カバレージエリアまたは領域のサブエリアを示す他の用語で呼ばれることがある。一態様では、ワイヤレス環境１００の各チャネル（たとえばチャネル１１０、１１２、１１４）は、それが現在関連している特定のセルを有し得、そのセルは本明細書では「サービングセル」と呼ばれることになる。さらに、コントローラ１０７は、チャネル周波数またはキャリアに関連する通信プロパティがサービングセルのそのような通信プロパティよりも優れているのか劣っているのかを判断するために、サービングセル以外の１つまたは複数のセルを監視し得る。本開示では、これらの監視されたセルの各々は、「候補セル」と呼ばれることがあり、図１において候補セル基地局１０６によって表される、別の基地局によってサービスされ得る。ただし、いくつかの非限定的なネットワーク構成例では、基地局は２つ以上の（たとえば３つの）定義されたセクタまたはセルを含み得る。したがって、（図１に示されていない）いくつかの例では、サービングセルと候補セルは、同じ基地局または他のネットワークエンティティによってサービスされ得る。
【００２６】
さらに、本開示では、セルは、基地局のサービスエリア全体、基地局に関連する全サービスエリアまたはサービス容量のサブセットを含み得、１つまたは複数の基地局セクタと同義であり得、あるいは、基地局セクタよりも大きいもしくは小さいエリア、または基地局セクタよりも多いもしくは少ないＵＥをサービスし得る。さらに、一態様では、セルは、対応する一意の周波数に関連することがあるが、同じ基地局または異なる基地局によってサービスされるセルは、複数のセルのための同じ周波数を利用することもある。
【００２７】
動作中、ＵＥ１０２がワイヤレス環境１００全体にわたって移動するとき、ＵＥ１０２は、セルのＵＥアクティブセット、監視されたセット、および／または検出されたセットにおいて、１つまたは複数の基地局（たとえばサービングセル基地局１０４および候補セル基地局１０６）によってサービスされる１つまたは複数のセルとのＵＥの確立された通信接続の各々に関連するチャネル状態を監視し得る。非限定的な一態様では、アクティブセット、監視されたセット、および／または検出されたセットは、ＵＥ１０２の通信範囲内のサービング基地局、ネイバー基地局、セクタ、またはセルの任意の組合せを含み得る。
【００２８】
さらに、ＵＥ１０２は、ＵＥ１０２が、監視している、通信している、および／または検出した、各基地局上の各チャネルについてまたは各セル（たとえば範囲内の各セル）について、限定はしないが、信号強度など、チャネル状態を示し得る１つまたは複数の測定報告１２２をコントローラ１０７に周期的に送信し得る。一態様では、コントローラ１０７は、候補セル基地局１０６によってサービスされる候補セルなど、サービングセル基地局１０４以外の基地局またはセル上の１つまたは複数のチャネルについて、より良い通信状態が存在すると判断し得る。たとえば、コントローラ１０７は、候補セル基地局１０６の候補セル上の通信チャネル１１２について、より良い通信状態が存在するという情報を測定報告１２２中でＵＥ１０２から受信し得る。その結果、コントローラ１０７は、サービングセル基地局１０４によってサービスされるサービングセルを有する通信チャネル１１２が、ネットワーク通信サービスのためにリセットされ、候補セルに転送されるべきであることを決定し得る。候補セル基地局１０６への通信チャネル１１２の転送を達成するために、コントローラ１０７は、通信チャネル１１２などの少なくとも１つの通信チャネルが個々のチャネル固有ベースで選択的にリセットされるべきであることをＵＥ１０２に通信し得るチャネル再構成メッセージ１２４を生成し得る。いくつかの態様では、チャネル再構成メッセージ１２４は物理チャネル再構成（ＰＣＲ）メッセージであり得る。たとえば、そのメッセージは、リセットされるべきである１つまたは複数の特定のチャネルに対応する１つまたは複数のリセットフラグ（たとえばｍａｃ−ｈｓＲｅｓｅｔＩｎｄｉｃａｔｏｒフラグ）を含んでいることがある。言い換えれば、例示的な態様によれば、チャネル再構成メッセージに追加される各リセットフラグは、サービングセルまたはサービングセルによってサービスされるＵＥに関連する特定のチャネルに一意に対応し得る。一態様では、これは、限定はしないが、サービングセルおよび／またはＵＥが、単一の関連するチャネルまたは複数の関連するチャネルのセットを有し、リセットフラグがそれに対応する特定のチャネルが、複数の関連するチャネルのうちの１つであり得るなどの、構成を含み得る。したがって、本明細書で提示するいくつかの例によれば、リセットフラグは、サービングセルおよび／またはＵＥに関連するチャネルのセットのサブセットをリセットするようにＵＥに命令し得、サブセットは、リセットの対象とされるチャネルを含み得る。したがって、ユーザ機器に関連するチャネルの指定されたサブセットがリセットされ得、これは、レガシーチャネルリセット方法および装置に関連するシグナリング負荷と、複雑さと、電力消耗とを低減する。
【００２９】
別の態様では、チャネル再構成メッセージ１２４は、少なくとも１つの通信チャネルにおける送信電力制御（ＴＰＣ：Transmission Power Control）組合せインデックスの変化に関連し得る。ただし、ＰＣＲおよびＴＰＣ組合せインデックスは例であり、説明する態様は、ＵＥ１０２にチャネル再構成メッセージ１２４を与える任意の形態を含み得ることに留意されたい。
【００３０】
さらに、いくつかの態様では、コントローラ１０７は候補セル基地局１０６にハンドオフ指示メッセージ１２６を送り得、その場合、ハンドオフ指示メッセージ１２６は、１つまたは複数のチャネルが、ＵＥ１０２によってリセットされ、候補セル基地局１０６に転送されることになることを候補セル基地局１０６にシグナリングする。ＵＥ１０２がチャネル再構成メッセージ１２４を受信すると、ＵＥ１０２は、受信されたチャネル再構成メッセージ１２４に基づいて少なくとも１つの通信チャネル（たとえばチャネル１１２）をリセットし得る。
【００３１】
さらに、一態様では、ＵＥ１０２は、候補セル基地局１０６との１つまたは複数の示された通信チャネル（たとえば図１中の通信チャネル１１２）のリセットおよび転送を開始し得る。他の態様では、候補セル基地局１０６は、（図１において点線のチャネル１１６として示される）転送された通信チャネル１１２のセットアップを開始し得、いくつかの例では、ハンドオフ指示メッセージ１２６に基づいてそうし得る。いずれの場合も、チャネル１１６が確立され、ハンドオフがサービングセル基地局１０４と候補セル基地局１０６との間で実行されると、候補セルは、通信チャネル１１６を介してＵＥ１０２にワイヤレス通信サービスを提供し得る。
【００３２】
図２を参照すると、一態様では、基地局間の基地局動作とチャネル転送とを制御するためのコントローラ１０７が示されている。コントローラ１０７は、サービングセルから候補セルへのＵＥの１つまたは複数のまたはすべての通信チャネルの転送を管理するためのチャネル管理構成要素２１０を含み、これは、サービングセル基地局から候補基地局への転送を伴い得る。
【００３３】
さらに、一態様では、チャネル管理構成要素２１０は、１つまたは複数のＵＥに関連する１つまたは複数の通信チャネルが、サービングセルまたはサービング基地局以外のセルまたは基地局に転送されるべきであると判断するように構成され得る、監視構成要素２１２を含み得る。一態様では、監視構成要素は、１つまたは複数のＵＥまたは基地局から１つまたは複数の測定報告を受信し得、候補セルが特定の通信チャネルまたはキャリアのための優れた通信プロパティを示すかどうかに関する測定報告判断中に含まれているデータを処理するように構成され得る。一態様では、監視構成要素２１２は、履歴データ保持のためにおよび／または監視構成要素２１２による後の分析のために、１つまたは複数の受信された測定報告を受信および／または記憶し得る。
【００３４】
さらに、一態様では、コントローラ１０７および／またはチャネル管理構成要素２１０は、１つまたは複数のチャネル再構成メッセージを生成するように構成され得る、チャネル再構成構成要素２１４を含み得る。一態様では、チャネル再構成構成要素２１４は、１つまたは複数のチャネル再構成メッセージに１つまたは複数のリセットフラグを追加するように構成され得、リセットフラグは、１つまたは複数の通信チャネルが、リセットされ、および／または候補セルに転送されるべきであるという、宛先ＵＥへのチャネル固有インジケータとして働き得る。たとえば、チャネル再構成構成要素２１４は、現在アクティブであり、サービング基地局によってサービスされている通信チャネルについて、候補セルにおけるキャリアの通信プロパティがより良いことを示す情報を監視構成要素２１２から受信し得る。監視構成要素２１２からこの情報を受信すると、チャネル再構成構成要素２１４はメッセージチャネル再構成メッセージの生成を開始し得る。
【００３５】
代替的に、チャネル再構成メッセージのアセンブリがすでに進行中である例では、チャネル再構成構成要素２１４は、リセットフラグを構築し、チャネル再構成メッセージに追加し得る。このリセットフラグは、ＵＥに関連する１つまたは複数の特定の通信チャネルがリセットおよび／または転送されるべきであることを、明示的にまたは暗黙的に示し得る。たとえば、そのフラグは、いくつかの事例では、各アクティブサービングセルまたはサービングセル基地局チャネルのためのシングルビットを備え得る。いくつかの態様では、チャネル再構成メッセージおよび／または１つまたは複数のリセットフラグは、チャネル固有物理チャネル再構成（ＰＣＲ）メッセージまたはｍａｃ−ｈｓＲｅｓｅｔＩｎｄｉｃａｔｏｒフラグを含み得る。他の態様では、チャネル再構成メッセージおよび／または１つまたは複数のリセットフラグは、送信電力制御（ＴＰＣ）組合せインデックスの変化に関連し得る。
【００３６】
さらに、チャネル再構成構成要素２１４は、サービングセルから候補セルへの１つまたは複数のチャネルの転送に関連するセルハンドオフプロセスを開始し、管理するように構成され得る。本開示によって企図される例では、そのようなハンドオフは、ハードハンドオフ、ソフトハンドオフ、よりソフトなハンドオフ、あるいは任意の他の形態のサービングセル、セクタ、または基地局の調整のいずれかを含み得る。一態様では、チャネル再構成構成要素２１４は、たとえば、１つまたは複数のセル転送命令および／またはセル識別子を生成することによって、別の基地局にチャネルを転送するように基地局、ＵＥなどに通知および／または命令し得る。各セル転送命令は、セル識別子によって示されるセルにおよび／またはそのセルからチャネルを転送またはハンドオフするように基地局またはＵＥに指令し得る。いくつかの例では、チャネル再構成構成要素２１４は、これらのセル転送命令および／またはチャネル識別子のうちの１つまたは複数をチャネル再構成メッセージに追加し得る。
【００３７】
さらなる態様では、チャネル管理構成要素２１０は、ワイヤレス通信環境において１つまたは複数の他のデバイスにメッセージを送信するように構成され得る、メッセージ送信構成要素２１６をも含み得る。たとえば、メッセージ送信構成要素２１６は、１つまたは複数の宛先ＵＥおよび／または基地局に１つまたは複数のチャネル再構成メッセージを送信するように構成され得る。
【００３８】
図３は、ワイヤレス通信環境において１つまたは複数の基地局、コントローラ（たとえば図１および図２のコントローラ１０７、ＲＮＣ）、または他のネットワークデバイスと通信するように構成され得る、本開示の例示的なＵＥ１０２を表す。一態様では、ＵＥ１０２は、同じまたは異なるセルに関連し得る複数の通信チャネルを介して通信することができる。さらに、ＵＥ１０２は、シングル周波数デュアルキャリア（ＳＦＤＣ）またはデュアル周波数デュアルキャリア（ＤＦＤＣ）技術を介して通信するように動作可能であり得るが、他の通信技術または規格も実装され得る。
【００３９】
一態様では、ＵＥ１０２は、１つまたは複数の外部デバイスおよびネットワークとの通信を管理するように構成され得る、通信マネージャ３０２を含み得る。一態様では、通信マネージャ３０２は、１つまたは複数のセルのプロパティを監視することと、測定報告を生成し、１つまたは複数のデバイスに送信することとを行うように構成され得る、測定報告マネージャ３１２を含み得る。たとえば、測定報告マネージャ３１２は、利用可能な基地局および／またはそれの候補セルについてワイヤレスネットワーク環境を連続的に監視するように構成され得、さらに、サービング基地局および／または関連するサービングセルの通信プロパティを監視し得る、セル監視構成要素３１４を含み得る。さらに、セル監視構成要素３１４は、ＵＥ１０２に関連するセルのアクティブセット、監視されたセット、および／または検出されたセットに、１つまたは複数のセルまたは基地局を追加するように構成され得る。さらに、セル監視構成要素３１４は、通信が、セルまたはそれの関連する基地局（たとえば図１のサービングセル基地局１０４および／または候補セル基地局１０６）と１つまたは複数のＵＥ（たとえば図１のＵＥ１０２）との間でそれの上で行われる、１つまたは複数の特定の周波数を監視するように構成され得る。さらに、本開示では、これらの各特定の周波数は、「キャリア」と呼ばれることがあり、または、総称して、限定はしないが特定の周波数など、「キャリア」と呼ばれることがあり、または、サービングセルとＵＥ１０２との間でアクティブであるチャネル３２６に関連する「キャリア」と呼ばれることがある。さらに、これらのチャネル３２６は、ＵＥ１０２が、ＵＥ１０２に現在関連している各チャネル３２６に関連する情報またはデータを監視、追跡、および／または保存し得ることを示すために、図３に示されている。例示的な態様では、０、１つ、または複数のチャネルおよび／あるいはそれらの関連する通信周波数またはキャリアを含み得る、これらのチャネル３２６は、図１のチャネル１１０、１１２、および１１４に対応し得る。
【００４０】
一態様では、測定報告マネージャ３１２は、セル監視構成要素３１４によって作成された何らかのセルデータを集めるように構成され得る、報告生成構成要素３１５をさらに含み得る。さらに、測定報告マネージャ３１２は、限定はしないが、基地局およびコントローラ（たとえばＲＮＣ）を含み得る、１つまたは複数のネットワークエンティティに、報告生成構成要素３１５によって生成された１つまたは複数の測定報告を送信するように構成され得る、測定報告送信構成要素３１８を含み得る。代替または追加として、測定報告マネージャ３１２は、後の取出しのためにメモリ（たとえば図４のメモリ４０４および／またはデータストア４０８）に監視の結果を保存し得る。
【００４１】
さらに、通信マネージャ３０２は、ＵＥ１０２に関連する単独または複数のチャネル３２６をリセットするように構成され得る、チャネルリセットマネージャ３２０を含んでいることがある。いくつかの例では、チャネルリセットマネージャ３２０は、（１つまたは複数の）チャネル３２６に関連する１つまたは複数のチャネル再構成メッセージを受信および／または処理するように構成され得る、チャネル再構成メッセージ受信構成要素を含み得る。さらに、チャネルリセットマネージャ３２０は、受信されたチャネル再構成メッセージ中に含まれていることがある１つまたは複数のリセットフラグに関連する１つまたは複数のチャネル３２６をリセットするように構成され得る、リセット構成要素３２４を含み得る。
【００４２】
図４を参照すると、一態様では、ＵＥ１０２（図１）、またはコントローラ１０７（図１および図２）などの１つまたは複数のネットワークエンティティのいずれかが、特別にプログラムされたまたは構成されたコンピュータデバイス４００によって表され得る。コンピュータデバイス４００は、本明細書で説明する構成要素および機能のうちの１つまたは複数に関連する処理機能を実行するためのプロセッサ４０２を含む。プロセッサ４０２は、プロセッサまたはマルチコアプロセッサの単一または複数のセットを含むことができる。その上、プロセッサ４０２は、集積処理システムおよび／または分散処理システムとして実装され得、ならびに／あるいは、デジタル信号プロセッサ（ＤＳＰ）、特定用途向け集積回路（ＡＳＩＣ）、または限定はしないが、１つまたは複数の具体的な用途（たとえばワイヤレス通信信号処理）のためにカスタマイズされた集積回路（ＩＣ）など、他のプロセッサもしくはＩＣであり得る。さらに、プロセッサ４０２は、通信中にあるフレームまたはいくつかのフレームにわたって受信されたデータを連結するように構成され得る。
【００４３】
コンピュータデバイス４００は、本明細書で使用するデータおよび／またはプロセッサ４０４によって実行されているアプリケーションのローカルバージョンを記憶するなどのためのメモリ４０４をさらに含む。メモリ４０４は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せなど、コンピュータによって使用可能な任意のタイプのメモリを含むことができる。
【００４４】
さらに、コンピュータデバイス４００は、本明細書で説明するように、ハードウェア、ソフトウェア、およびサービスを利用して、１つまたは複数の相手との通信を確立し、維持することを行う通信構成要素４０６を含む。通信構成要素４０６は、コンピュータデバイス４００上の構成要素間、ならびにコンピュータデバイス４００と、通信ネットワーク上に位置するデバイス、および／またはコンピュータデバイス４００に直列またはローカルに接続されたデバイスなどの外部デバイスとの間の通信を伝え得る。たとえば、通信構成要素４０６は、１つまたは複数のバスを含み得、外部デバイスとインターフェースするように動作可能な、それぞれ送信機および受信機、またはトランシーバに関連する、送信チェーン構成要素および受信チェーン構成要素をさらに含み得る。追加の態様では、通信構成要素４０６は、１つまたは複数の加入者ネットワークから１つまたは複数のページおよび／またはページインジケータを受信するように構成され得る。さらなる態様では、そのようなページまたはページインジケータは、第２のサブスクリプションに対応し得、第１の通信技術タイプ通信サービスを介して受信され得る。
【００４５】
さらに、コンピュータデバイス４００は、データストア４０８をさらに含み得、データストア４０８は、本明細書で説明する態様に関連して採用される情報、データベース、およびプログラムの大容量ストレージを与えるハードウェアおよび／またはソフトウェアの任意の適切な組合せであり得る。たとえば、データストア４０８は、プロセッサ４０４によって現在実行されていないアプリケーションのためのデータリポジトリであり得る。
【００４６】
コンピュータデバイス４００は、さらに、コンピュータデバイス４００のユーザから入力を受信するように動作可能な、およびユーザへの提示のための出力を生成するようにさらに動作可能な、ユーザインターフェース構成要素４１０を含み得る。ユーザインターフェース構成要素４１０は、限定はしないが、キーボード、ナンバーパッド、マウス、タッチセンシティブディスプレイ、ナビゲーションキー、ファンクションキー、マイクロフォン、ボイス認識構成要素、ユーザから入力を受信することが可能な他の機構、またはそれらの任意の組合せを含む、１つまたは複数の入力デバイスを含み得る。さらに、ユーザインターフェース構成要素４１０は、限定はしないが、ディスプレイ、スピーカー、触覚フィードバック機構、プリンタ、出力をユーザに提示することが可能な他の機構、またはそれらの任意の組合せを含む、１つまたは複数の出力デバイスを含み得る。
【００４７】
さらに、コンピュータデバイス２００のコントローラ（たとえばコントローラ１０７）実装形態では、コントローラ１０７のチャネル管理構成要素２１０が、コンピュータデバイス２００の追加の構成要素であり得る。さらに、コンピュータデバイス２００のＵＥ実装形態では、ＵＥ１０２の通信マネージャ３０２が、コンピュータデバイス２００の追加の構成要素であり得る。
【００４８】
図５に、ＵＥに関連するチャネルを選択的にリセットおよび／または転送するための例示的な方法５００を示す。説明を簡単にするために、上記で説明した図２〜図４を参照しながら図５について説明する。初めに、コントローラまたはサービング基地局が（たとえば通信構成要素４０６を介して）随意に、ブロック５０２において、ユーザ機器に関連する複数のチャネルのうちの１つまたは複数を確立し得る。一態様では、ＵＥおよびサービング基地局は、それらのデバイス間の他のチャネルを前に確立していることがある。ただし、ブロック５０２において、コントローラおよび／またはサービング基地局はＵＥとのさらなるチャネルを確立し得る。さらに、一態様では、それらのデバイス間に確立される複数のチャネルの各々が、異なるセルに対応し得る。さらに、一態様では、それらの複数のチャネルは、１つまたは複数の高速メディアアクセス制御（ＭＡＣ−ＨＳ）チャネルを含み得る。
【００４９】
一態様では、ブロック５０４において、限定はしないが、図２の監視構成要素２１２など、コントローラまたはそれの中の構成要素が、１つまたは複数の候補セルに関連する１つまたは複数の通信プロパティがサービングセルのそのような通信プロパティよりも優れていることを示し得る測定報告を１つまたは複数のＵＥから受信し得る。いくつかの例では、コントローラは（たとえば監視構成要素２１２を介して）測定報告に基づいて、チャネルが別のセルに転送されるべきである場合、そのチャネルについてより良い状態が存在しないであろうと判断し得る。この場合、コントローラは、ＵＥから後続の測定報告を受信するのを単に待ち得る。
【００５０】
代替として、いくつかの態様では、測定報告中に含まれている情報に基づいて、コントローラは（たとえば監視構成要素２１２を介して）ブロック５０６において、基地局とＵＥの通信接続に関連する通信プロパティが、ある点において、ＵＥと候補セルとの間に将来確立され得る通信接続よりも劣っていると判断し得る。たとえば、候補セルに関連する優れた通信プロパティは、限定はしないが、信号強度、帯域幅、スループット、または他の通信状態のうちの１つまたは複数であり得るが、これらの例示的な状態の例は排他的でない。一例として、候補セルは、候補セルからＵＥによって検出されたキャリアの信号強度が、サービングセルからＵＥによって受信されたキャリアの信号強度よりも高い場合、優れた通信プロパティを有すると見なされ得る。これは、ＵＥが、候補セルが優れた通信プロパティを有するとどのように判断し得るかの一例にすぎず、他の例では、ＵＥ（たとえば、ＵＥのコントローラ）は、たとえば、候補セルからの信号のキャリアが、より大きい帯域幅を有し、サービングセルからのキャリアよりも高いスループットを与えることができる場合、候補セルが優れた通信プロパティを有すると判断し得ることに留意されたい。上述したように、これらはいくつかの例示的な優れた通信プロパティにすぎず、他の例では、候補セルが優れた通信プロパティを有するかどうかを判断するために他の通信プロパティが使用され得る。コントローラが、候補セルがサービングセルの通信プロパティよりも優れた通信プロパティを有すると判断した場合、コントローラは、１つまたは複数のチャネルがリセットされ、および／または別の基地局に転送されるべきであると判断し得る。
【００５１】
いくつかの態様では、コントローラは、各チャネルに対応する送信電力制御組合せインデックス（ＴＰＣ  ＣＩ：transmission power control combination index）に関係する記憶された情報を所有し得る。高度ワイヤレス通信ネットワークでは、基地局とＵＥとの間に確立されるあらゆるチャネルが、関連するＴＰＣ  ＣＩを割り当てられる。さらに、所与の基地局に関連する各通信接続が、同じＴＰＣ  ＣＩを割り当てられる。たとえば、同じ基地局の１つまたは複数のセルに属し得る、サービング基地局に関連するすべての通信接続は「１」のＴＰＣ  ＣＩを有し得、第２の基地局に関連するすべての通信接続は「３」のＴＰＣ  ＣＩを有し得る。
【００５２】
一態様では、ネットワーク（たとえば、それのネットワークコントローラ）は、所与の基地局またはセルのＴＰＣ  ＣＩに気づいている。さらに、ＵＥは、特定のセル、たとえば、サービングセルなど、ＵＥが現在それにキャンプオンされているセル、または候補セルなど、チャネルのためのハンドオフのための候補であり得る近くのセルに関連するＴＰＣ  ＣＩに気づいていることがある。したがって、ＵＥがネットワーク中の隣接するセルを監視するとき、ＵＥは、現在セルＴＰＣ  ＣＩを候補セルのＴＰＣ  ＣＩと比較することが可能である。一態様では、コントローラは、チャネルリセットがこの比較に基づくべきであることをＵＥに示し得る。この態様によって、現在サービングセルのＵＥの測定したＴＰＣ  ＣＩと候補セルのＵＥの測定したＴＰＣ  ＣＩが異ならない場合、基地局は特定のチャネルをリセットしないことがある。代替として、コントローラが、チャネルリセットがＴＰＣ  ＣＩ測定および比較に基づくべきであることを示し、候補セル（または通信セルがそれに移動されるように指令されたセル）が、現在セルとは異なるＴＰＣ  ＣＩ値を有する場合、ＵＥはその特定のチャネルをリセットし得る。したがって、この態様では、ＴＰＣ  ＣＩが変化する場合、ＵＥは１つまたは複数のチャネルを単独でリセットし得るので、チャネル固有ｍａｃ−ｈｓＲｅｓｅｔＩｎｄｉｃａｔｏｒフラグなどがコントローラから必要とされない。したがって、一態様では、上記判断は、ＵＥおよび／またはコントローラによって受信または維持された１つまたは複数のＴＰＣ  ＣＩ値に基づき得る。
【００５３】
コントローラが、候補セルがキャリアまたは対応するチャネル上で優れた通信プロパティを示すという判断を行った場合、コントローラは（たとえば図２のチャネル再構成構成要素２１４を介して）ブロック５０８において、１つまたは複数の受信された測定報告中に含まれている情報に基づいてチャネル構成メッセージにリセットフラグを追加し得る。一態様では、リセットフラグは、たとえば複数のチャネルのすべてまたはすべてに満たないことがある、明示的にまたは暗黙的に識別されたチャネルを選択的にリセットすることおよび／または候補セルに転送することに関係するインジケータであり得る。いくつかの態様では、インジケータは、限定はしないが、チャネル固有ｍａｃ−ｈｓＲｅｓｅｔＩｎｄｉｃａｔｏｒフラグなど、フラグを含み得る。さらに、インジケータは、限定はしないが、物理キャリア再構成（ＰＣＲ：Physical Carrier Reconfiguration）メッセージ、送信チャネル再構成メッセージ、または無線ベアラ再構成メッセージなど、メッセージの形態で生成され得る。
【００５４】
さらに、コントローラは（たとえば図２のメッセージ送信構成要素２１６を介して）ブロック５１０において、たとえば、ＵＥに、チャネル再構成メッセージを送信し得る。いくつかの態様では、そのメッセージは、どのチャネルがリセットおよび／または転送されるべきかの指示、ならびに／あるいは選択的チャネルリセットおよび／または転送を実行するためのコマンドを含み得る、オーバージエア（ＯＴＡ）メッセージであり得る。そのメッセージは、いくつかの態様ではＰＣＲメッセージであり得、または複数のチャネル固有ｍａｃ−ｈｓＲｅｓｅｔＩｎｄｉｃａｔｏｒフラグ、すなわち、リセットされるべき確立されたチャネルごとに１つのフラグを含み得る。他の態様では、上述したように、インジケータは、選択されたチャネルにおける送信電力制御（ＴＰＣ）組合せインデックスの変化に基づいてチャネルをリセットするようにＵＥに指令することに関連するメッセージ中にあり得る。
【００５５】
いくつかの態様では、全体的チャネル再構築メッセージは、２つ以上のメッセージ、すなわち、どのチャネルがリセットおよび／または転送されるべきかを示す１つのメッセージ、ならびにリセットおよび／または転送を実行するようにＵＥに指令する後続のメッセージを含み得、またはその逆も同様である。たとえば、いくつかの態様では、コントローラは、ＵＥがグローバルリセットおよび／または転送コマンドを受信したとき、チャネルｃ１がリセットされるべきであることを選択的に示す第１のメッセージを時間ｔ１において送信し、ＵＥがグローバルリセットおよび／または転送コマンドを受信したとき、チャネルｃ２がリセットされるべきであることを選択的に示す第２のメッセージを時間ｔ２において送信し得る。ＵＥは、これらの選択的チャネルリセット／転送インジケータをＵＥメモリに記憶し得る。その後、時間ｔ３において、コントローラおよび／または他のネットワークデバイスは、グローバルリセットおよび／または転送コマンドメッセージを生成し、ＵＥに送り得、その場合、グローバルメッセージを受信すると、ＵＥは、リセットおよび／または転送のために前に示された何らかのチャネル、すなわち、ここでは、チャネルｃ１およびｃ２をリセットおよび／または転送する。さらに、いくつかの随意の例では、コントローラは、それ自体が、ブロック５１２において、候補セルへの１つまたは複数の選択されたチャネルの転送を実行し得る。
【００５６】
さらに、一態様では、図５のブロックに関連する様々な方法ステップは、限定はしないが、たとえば、メモリ４０４またはデータストア４０８に記憶され得る命令を実行し得る、図２の１つまたは複数の構成要素、図４のプロセッサ４０２、あるいは上記方法ステップを実行することが可能な他の電気的構成要素によって実行されることによって、実行され得る。したがって、図５の方法ステップを実行することに関して特定の構成要素に言及したが、これらのステップの実行がそのような構成要素に限定されないことを理解されたい。
【００５７】
図６を参照すると、１つまたは複数のチャネルの選択的リセットおよび／または転送のための方法が与えられている。初めに、随意のブロック６０２において、ＵＥが（たとえば図４の通信構成要素４０６を介して）サービングセルに関連する複数のチャネルのうちの１つまたは複数を確立し得る。一態様では、ＵＥおよびサービングセルは、それらのデバイス間の他のチャネルを前に確立していることがある。さらに、ブロック６０４において、ＵＥは（たとえば図３のセル監視構成要素３１４を介して）１つまたは複数の基地局または候補セルに関連する通信プロパティを監視し得る。たとえば、ＵＥは、限定はしないが、信号強度、帯域幅、スループット、基地局負荷、または他の通信状態など、異なるセルおよび／または基地局に関連する通信プロパティを監視し得る。さらに、ＵＥは、チャネルがＵＥとサービングセルとの間にそれの上で確立された周波数に対応するチャネル周波数を含めて、ＵＥのアクティブセット、監視されたセット、および／または検出されたセットにおいて、すべての基地局における特定のチャネル周波数またはキャリアに関連する通信プロパティを監視し得る。さらに、ＵＥは、チャネルがＵＥのためにそれの上で確立されたすべてのセルに関連するＴＰＣ  ＣＩを監視し、記憶し得る。
【００５８】
さらに、一態様では、ブロック６０６において、ＵＥは（たとえば図４の測定報告送信構成要素３１８を介して）ＵＥがブロック６０４において監視したことによって集められた情報を含み得る測定報告を（たとえば基地局を介して）コントローラに送信し得る。さらに、例示的な方法では、ＵＥは、測定報告中でコントローラに送るために、ＵＥ中のメモリから情報を取り出し得る。測定報告は、いくつかの態様では、オーバージエア（ＯＴＡ）メッセージにおいて与えられ得る。
【００５９】
一態様では、ＵＥは（たとえばチャネル再構成メッセージ受信構成要素３２２を介して）ブロック６０８において、たとえば、単独または複数のＵＥ関連のチャネルを選択的にリセットおよび／または転送することに関係する測定報告を送信したことに応答して、チャネル再構成メッセージを受信し得る。一態様では、１つまたは複数のリセットフラグが、受信されたチャネル再構成メッセージ中に含まれ得る。さらなる態様では、チャネル再構成メッセージは、ＯＴＡメッセージにおいて与えられ得、限定はしないが、物理キャリア再構成（ＰＣＲ）メッセージ、チャネル固有ｍａｃ−ｈｓＲｅｓｅｔＩｎｄｉｃａｔｏｒフラグ、送信チャネル再構成メッセージ、または無線ベアラ再構成メッセージなど、特定のメッセージフォーマットのうちの１つまたは複数を含み得る。他の態様では、リセットフラグは、選択されたチャネルにおける送信電力制御（ＴＰＣ）組合せインデックスの変化時にチャネルをリセットすることに関連するメッセージ中にあり得る。さらに、ブロック６１０において、ＵＥは（たとえばリセット構成要素３２４を介して）ブロック６０８において受信されたチャネル再構成メッセージに示されているように、複数のチャネルのすべてまたはすべてに満たないことがある、リセットフラグで識別されたチャネルをリセットし得る。
【００６０】
さらに、一態様では、図６のブロックに関連する様々な方法ステップは、限定はしないが、たとえば、メモリ４０４またはデータストア４０８に記憶され得る命令を実行し得る、図３の１つまたは複数の構成要素、図４のプロセッサ４０２、あるいは上記方法ステップを実行することが可能な他の電気的構成要素によって実行されることによって、実行され得る。したがって、図６の方法ステップを実行することに関して特定の構成要素に言及したが、これらのステップの実行がそのような構成要素に限定されないことを理解されたい。
【００６１】
図７を参照すると、１つまたは複数のチャネルを選択的にリセットおよび／または転送するための例示的なシステム７００が表示されている。たとえば、システム７００は、少なくとも部分的にデバイス内に常駐することができる。システム７００は機能ブロックを含むものとして表されており、その機能ブロックは、プロセッサ、ソフトウェア、またはそれらの組合せ（たとえば、ファームウェア）によって実装される機能を表す機能ブロックであり得ることを諒解されたい。システム７００は、連携して動作することができる電気的構成要素の論理グルーピング７０２を含む。たとえば、論理グルーピング７０２は、候補セルが優れた通信プロパティを示すと判断するための電気的構成要素７０４を含むことができる。たとえば、構成要素７０４は監視構成要素２１２（図２）であり得る。論理グルーピング７０２は、チャネル再構成メッセージにリセットフラグを追加するための電気的構成要素７０６をも含むことができる。たとえば、構成要素７０６はチャネル再構成構成要素２１４（図２）であり得る。その上、論理グルーピング７０２は、チャネル再構成メッセージを送信するための電気的構成要素７０８を含んでいることがある。たとえば、構成要素７０８はメッセージ送信構成要素２１６（図２）であり得る。
【００６２】
さらに、システム７００は、電気的構成要素７０４、７０６、および７０８に関連する機能を実行するための命令を保持し、電気的構成要素７０４、７０６、および７０８などによって使用または取得されたデータを記憶する、メモリ７１２を含むことができる。メモリ７１２の外部にあるものとして示されているが、電気的構成要素７０４、７０６、および７０８のうちの１つまたは複数は、メモリ７１２の内部に存在することができることを理解されたい。一例では、電気的構成要素７０４、７０６、および７０８は、少なくとも１つのプロセッサを備えることができるか、または、各電気的構成要素７０４、７０６、および７０８は、少なくとも１つのプロセッサの対応するモジュールであり得る。その上、追加または代替の例では、電気的構成要素７０４、７０６、および７０８は、コンピュータ可読媒体を含むコンピュータプログラム製品であり得、各電気的構成要素７０４、７０６、および７０８は、対応するコードであり得る。
【００６３】
図８を参照すると、１つまたは複数のチャネルを選択的にリセットするための例示的なシステム８００が表示されている。たとえば、システム８００は、少なくとも部分的にデバイス内に常駐することができる。システム８００は機能ブロックを含むものとして表されており、その機能ブロックは、プロセッサ、ソフトウェア、またはそれらの組合せ（たとえば、ファームウェア）によって実装される機能を表す機能ブロックであり得ることを諒解されたい。システム８００は、連携して動作することができる電気的構成要素の論理グルーピング８０２を含む。たとえば、論理グルーピング８０２は、サービングセルとの１つまたは複数のチャネルを確立するための随意の電気的構成要素８０４を含むことができる。たとえば、構成要素８０４は通信構成要素４０６（図４）であり得る。論理グルーピング８０２は、候補セルの通信プロパティを監視するための電気的構成要素８０６をも含むことができる。たとえば、構成要素８０６はセル監視構成要素３１２（図３）であり得る。その上、論理グルーピング８０２は、測定報告を送信するための電気的構成要素８０８を含んでいることがある。たとえば、構成要素８０８は測定報告送信構成要素３１８（図３）であり得る。その上、論理グルーピング８０２は、チャネル再構成メッセージを受信するための電気的構成要素８１０を含んでいることがある。たとえば、構成要素８１０はチャネル再構成受信構成要素３２２（図３）であり得る。論理グルーピング８０２は、１つまたは複数のチャネルをリセットするための電気的構成要素８１２をさらに含んでいることがある。たとえば、構成要素８１２はリセット構成要素３２４（図３）であり得る。
【００６４】
さらに、システム８００は、電気的構成要素８０４、８０６、８０８、８１０、および８１２に関連する機能を実行するための命令を保持し、電気的構成要素８０４、８０６、８０８、８１０、および８１２などによって使用または取得されたデータを記憶する、メモリ８１４を含むことができる。メモリ８１４の外部にあるものとして示されているが、電気的構成要素８０４、８０６、８０８、８１０、および８１２のうちの１つまたは複数は、メモリ８１４の内部に存在することができることを理解されたい。一例では、電気的構成要素８０４、８０６、８０８、８１０、および８１２は、少なくとも１つのプロセッサを備えることができるか、または、各電気的構成要素８０４、８０６、８０８、８１０、および８１２は、少なくとも１つのプロセッサの対応するモジュールであり得る。その上、追加または代替の例では、電気的構成要素８０４、８０６、８０８、８１０、および８１２は、コンピュータ可読媒体を含むコンピュータプログラム製品であり得、各電気的構成要素８０４、８０６、８０８、８１０、および８１２は、対応するコードであり得る。
【００６５】
本明細書で開示する態様に関して説明する様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションのうちの１つまたは複数を実行するように動作可能な１つまたは複数のモジュールを備え得る。
【００６６】
さらに、本明細書で開示する態様に関して説明する方法またはアルゴリズムのステップおよび／またはアクションは、直接ハードウェアで実施され得るか、プロセッサ（たとえば、図４のプロセッサ４０２）によって実行されるソフトウェアモジュールで実施され得るか、またはその２つの組合せで実施され得る。ソフトウェアモジュールは、限定はしないが、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野において知られている任意の他の形態の記憶媒体のうちの１つまたは複数を含み得る、図４のメモリ４０４および／またはデータストア４０８など、記憶媒体中に常駐し得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサ（たとえば、プロセッサ４０２）および記憶媒体（たとえば、メモリ４０４）はＡＳＩＣ中に常駐し得る。さらに、ＡＳＩＣはＵＥ中に常駐し得る。代替として、プロセッサおよび記憶媒体はＵＥ中の個別構成要素として常駐し得る。さらに、いくつかの態様では、方法またはアルゴリズムのステップおよび／またはアクションは、コンピュータプログラム製品に組み込まれ得る、機械可読媒体および／またはコンピュータ可読媒体上のコードおよび／または命令の１つまたは任意の組合せ、あるいはそのセットとして常駐し得る。
【００６７】
１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶され得るか、あるいはコンピュータ可読媒体上で送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と呼ばれ得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、通常、データをレーザーで光学的に再生する。上記の組合せもコンピュータ可読媒体の範囲内に含まれるべきである。
【００６８】
上記の開示は、例示的な態様について論じたが、添付の特許請求の範囲によって定義された説明した態様の範囲から逸脱することなく、様々な変更および修正を本明細書で行い得ることに留意されたい。さらに、説明した態様の要素は、単数形で説明または請求されていることがあるが、単数形への限定が明示的に述べられていない限り、複数形が企図される。さらに、任意の態様の全部または一部分は、別段に記載されていない限り、任意の他の態様の全部または一部分とともに利用され得る。
【図１】
2015505177.tif 000003
【図２】
2015505177.tif 000004
【図３】
2015505177.tif 000005
【図４】
2015505177.tif 000006
【図５】
2015505177.tif 000007
【図６】
2015505177.tif 000008
【図７】
2015505177.tif 000009
【図８】
2015505177.tif 000010
【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
選択的チャネルリセットのための方法であって、
候補セルがキャリア上でサービングセルが示すよりも優れた通信プロパティを示すと判断することと、前記キャリアが、前記サービングセルによって使用中のチャネルに対応し、前記優れた通信プロパティは、より高い信号強度、より大きい帯域幅、より高いスループットの少なくとも１つを備え、
コントローラによって、前記候補セルが前記優れた通信プロパティを示すと判断することに基づいてチャネル再構成メッセージにリセットフラグを追加することと、前記リセットフラグが、前記サービングセルに関連するチャネルのセットのチャネルのサブセットをリセットするようにユーザ機器に命令し、前記チャネルのサブセットが、前記チャネルのセットのすべてのチャネルに満たない、および、前記チャネルを含み、
前記チャネル再構成メッセージを送信することと
を備える、方法。
【請求項２】
前記チャネル再構成メッセージに基づいて前記候補セルに前記チャネルを転送することをさらに備える、請求項１に記載の方法。
【請求項３】
前記候補セルにハンドオフ指示メッセージを送信することをさらに備える、請求項２に記載の方法。
【請求項４】
前記チャネル再構成メッセージが高速メディアアクセスチャネル（ＭＡＣ−ＨＳ）リセットメッセージを備える、請求項１に記載の方法。
【請求項５】
前記チャネル再構成メッセージが、セル転送命令と、前記チャネルに関連するチャネル識別子とをさらに備える、請求項１に記載の方法。
【請求項６】
前記チャネル再構成メッセージが、前記チャネルの送信電力制御（ＴＰＣ）組合せインデックスの変化を示すように構成された、請求項１に記載の方法。
【請求項７】
前記チャネル再構成メッセージが物理チャネル再構成（ＰＣＲ）メッセージを備える、請求項１に記載の方法。
【請求項８】
前記チャネル再構成メッセージが複数のリセットフラグを備え、前記複数のリセットフラグの各々が、前記ユーザ機器によって使用中の追加のチャネルに対応する、請求項１に記載の方法。
【請求項９】
前記複数のリセットフラグの各々が、前記チャネルのサブセットの対応するチャネルをリセットするように前記ユーザ機器に命令するように構成された、請求項８に記載の方法。
【請求項１０】
前記チャネル再構成メッセージがオーバージエアメッセージである、請求項１に記載の方法。
【請求項１１】
選択的チャネルリセットのために構成された少なくとも１つのプロセッサであって、
候補セルがキャリア上でサービングセルが示すよりも優れた通信プロパティを示すと判断することと、前記キャリアが、前記サービングセルによって使用中のチャネルに対応し、前記優れた通信プロパティは、より高い信号強度、より大きい帯域幅、より高いスループットの少なくとも１つを備え、
コントローラによって、前記候補セルが前記優れた通信プロパティを示すと判断することに基づいてチャネル再構成メッセージにリセットフラグを追加することと、前記リセットフラグが、前記サービングセルに関連するチャネルのセットのチャネルのサブセットをリセットするようにユーザ機器に命令するよう構成され、前記チャネルのサブセットが、前記チャネルのセットのすべてのチャネルに満たない、および、前記チャネルを含み、
前記チャネル再構成メッセージを送信することと
を行うためのコードを備える、少なくとも１つのプロセッサ。
【請求項１２】
前記チャネル再構成メッセージに基づいて前記候補セルに前記チャネルを転送するためのコードをさらに備える、請求項１１に記載の少なくとも１つのプロセッサ。
【請求項１３】
前記候補セルにハンドオフ指示メッセージを送信するためのコードをさらに備える、請求項１２に記載の少なくとも１つのプロセッサ。
【請求項１４】
前記チャネル再構成メッセージが高速メディアアクセスチャネル（ＭＡＣ−ＨＳ）リセットメッセージを備える、請求項１１に記載の少なくとも１つのプロセッサ。
【請求項１５】
前記チャネル再構成メッセージが、セル転送命令と、前記チャネルに関連するチャネル識別子とをさらに備える、請求項１１に記載の少なくとも１つのプロセッサ。
【請求項１６】
前記チャネル再構成メッセージが、前記チャネルの送信電力制御（ＴＰＣ）組合せインデックスの変化を示すように構成された、請求項１１に記載の少なくとも１つのプロセッサ。
【請求項１７】
前記チャネル再構成メッセージが物理チャネル再構成（ＰＣＲ）メッセージを備える、請求項１１に記載の少なくとも１つのプロセッサ。
【請求項１８】
前記チャネル再構成メッセージが複数のリセットフラグを備え、前記複数のリセットフラグの各々が、前記ユーザ機器によって使用中の追加のチャネルに対応する、請求項１１に記載の少なくとも１つのプロセッサ。
【請求項１９】
前記複数のリセットフラグの各々が、前記チャネルのサブセットの対応するチャネルをリセットするように前記サービングセルに命令するように構成された、請求項１８に記載の少なくとも１つのプロセッサ。
【請求項２０】
前記チャネル再構成メッセージがオーバージエアメッセージである、請求項１１に記載の少なくとも１つのプロセッサ。
【請求項２１】
候補セルがキャリア上でサービングセルが示すよりも優れた通信プロパティを示すと判断することであって、前記キャリアが、前記サービングセルによって使用中のチャネルに対応し、前記優れた通信プロパティは、より高い信号強度、より大きい帯域幅、より高いスループットの少なくとも１つを備え、
コントローラによって、前記候補セルが前記優れた通信プロパティを示すと判断することに基づいてチャネル再構成メッセージにリセットフラグを追加することと、前記リセットフラグが、前記サービングセルに関連するチャネルのセットのチャネルのサブセットをリセットするようにユーザ機器に命令するよう構成され、前記チャネルのサブセットが、前記チャネルのセットのすべてのチャネルに満たない、および、前記チャネルを含み、
前記チャネル再構成メッセージを送信することと
を行うための実行可能命令を備えるコンピュータ可読媒体。
【請求項２２】
前記チャネル再構成メッセージに基づいて前記候補セルに前記チャネルを転送するための実行可能コードをさらに備える、請求項２１に記載のコンピュータ可読媒体。
【請求項２３】
前記候補セルにハンドオフ指示メッセージを送信するための実行可能コードをさらに備える、請求項２２に記載のコンピュータ可読媒体。
【請求項２４】
前記チャネル再構成メッセージが高速メディアアクセスチャネル（ＭＡＣ−ＨＳ）リセットメッセージを備える、請求項２１に記載のコンピュータ可読媒体。
【請求項２５】
前記チャネル再構成メッセージが、セル転送命令と、前記チャネルに関連するチャネル識別子とをさらに備える、請求項２１に記載のコンピュータ可読媒体。
【請求項２６】
前記チャネル再構成メッセージが、前記チャネルの送信電力制御（ＴＰＣ）組合せインデックスの変化を示すように構成された、請求項２１に記載のコンピュータ可読媒体。
【請求項２７】
前記チャネル再構成メッセージが物理チャネル再構成（ＰＣＲ）メッセージを備える、請求項２１に記載のコンピュータ可読媒体。
【請求項２８】
前記チャネル再構成メッセージが複数のリセットフラグを備え、前記複数のリセットフラグの各々が、前記ユーザ機器によって使用中の追加のチャネルに対応する、請求項２１に記載のコンピュータ可読媒体。
【請求項２９】
前記複数のリセットフラグの各々が、前記チャネルのサブセットの対応するチャネルをリセットするように前記ユーザ機器に命令するように構成された、請求項２８に記載のコンピュータ可読媒体。
【請求項３０】
前記チャネル再構成メッセージがオーバージエアメッセージである、請求項２１に記載のコンピュータ可読媒体。
【請求項３１】
候補セルがキャリア上でサービングセルが示すよりも優れた通信プロパティを示すと判断するための手段と、前記キャリアが、前記サービングセルによって使用中のチャネルに対応し、前記優れた通信プロパティは、より高い信号強度、より大きい帯域幅、より高いスループットの少なくとも１つを備え、
コントローラによって、前記候補セルが前記優れた通信プロパティを示すと判断することに基づいてチャネル再構成メッセージにリセットフラグを追加するための手段と、前記リセットフラグが、前記サービングセルに関連するチャネルのセットのチャネルのサブセットをリセットするようにユーザ機器に命令するよう構成され、前記チャネルのサブセットが、前記チャネルのセットのすべてのチャネルに満たない、および、前記チャネルを含み、
前記チャネル再構成メッセージを送信するための手段と
を備える、装置。
【請求項３２】
前記チャネル再構成メッセージに基づいて前記候補セルに前記チャネルを転送するための手段をさらに備える、請求項３１に記載の装置。
【請求項３３】
前記候補セルにハンドオフ指示メッセージを送信するための手段をさらに備える、請求項３２に記載の装置。
【請求項３４】
前記チャネル再構成メッセージが高速メディアアクセスチャネル（ＭＡＣ−ＨＳ）リセットメッセージを備える、請求項３１に記載の装置。
【請求項３５】
前記チャネル再構成メッセージが、セル転送命令と、前記チャネルに関連するチャネル識別子とをさらに備える、請求項３１に記載の装置。
【請求項３６】
前記チャネル再構成メッセージが、前記チャネルの送信電力制御（ＴＰＣ）組合せインデックスの変化を示すように構成された、請求項３１に記載の装置。
【請求項３７】
前記チャネル再構成メッセージが物理チャネル再構成（ＰＣＲ）メッセージを備える、請求項３１に記載の装置。
【請求項３８】
前記チャネル再構成メッセージが複数のリセットフラグを備え、前記複数のリセットフラグの各々が、前記ユーザ機器によって使用中の追加のチャネルに対応する、請求項３１に記載の装置。
【請求項３９】
前記複数のリセットフラグの各々が、前記チャネルのサブセットの対応するチャネルをリセットするように前記ユーザ機器に命令するように構成された、請求項３８に記載の装置。
【請求項４０】
前記チャネル再構成メッセージがオーバージエアメッセージである、請求項３１に記載の装置。
【請求項４１】
選択的チャネルリセットのための方法であって、
候補セルのキャリアの通信プロパティを監視することと、前記キャリアが、サービングセルによって使用中のチャネルに対応し、
前記通信プロパティを報告する測定報告を送信することと、前記測定報告は、前記候補セルが、前記サービングセルに関する前記キャリアに関連する優れた通信プロパティを示すことを示し、前記優れた通信プロパティは、より高い信号強度、より大きい帯域幅、より高いスループットの少なくとも１つを備え、
前記測定報告を送信したことに応答してチャネル再構成メッセージを受信することと、前記チャネル再構成メッセージが、前記サービングセルに関連するチャネルのセットのチャネルのサブセットをリセットするようにユーザ機器に命令するように構成された、１つまたは複数のリセットフラグを備え、前記１つまたは複数のリセットフラグは、前記候補セルが、前記サービングセルに関する前記キャリアに関連する前記優れた通信プロパティを示すことを示す前記測定報告に基づいて、前記サービングセルと前記候補セルとに関連するコントローラによって前記チャネル再構成メッセージに追加され、前記チャネルのサブセットが、前記チャネルのセットのすべてのチャネルに満たない、および、前記チャネルを含み、
前記チャネル再構成メッセージに基づいて前記チャネルのサブセットをリセットすることと
を備える、方法。
【請求項４２】
選択的チャネルリセットのために構成された少なくとも１つのプロセッサであって、
候補セルのキャリアの通信プロパティを監視することと、前記キャリアが、サービングセルによって使用中のチャネルに対応し、
前記通信プロパティを報告する測定報告を送信することと、前記測定報告は、前記候補セルが、前記サービングセルに関する前記キャリアに関連する優れた通信プロパティを示すことを示し、前記優れた通信プロパティは、より高い信号強度、より大きい帯域幅、より高いスループットの少なくとも１つを備え、
前記測定報告を送信したことに応答してチャネル再構成メッセージを受信することと、前記チャネル再構成メッセージが、前記サービングセルに関連するチャネルのセットのチャネルのサブセットをリセットするようにユーザ機器に命令するように構成された、１つまたは複数のリセットフラグを備え、前記１つまたは複数のリセットフラグは、前記候補セルが、前記サービングセルに関する前記キャリアに関連する前記優れた通信プロパティを示すことを示す前記測定報告に基づいて、前記サービングセルと前記候補セルとに関連するコントローラによって前記チャネル再構成メッセージに追加され、前記チャネルのサブセットが、前記チャネルのセットのすべてのチャネルに満たない、および、前記チャネルを含み、
前記チャネル再構成メッセージに基づいて前記チャネルのサブセットをリセットすることと
を行うためのコードを備える、少なくとも１つのプロセッサ。
【請求項４３】
候補セルのキャリアの通信プロパティを監視することと、前記キャリアが、サービングセルによって使用中のチャネルに対応し、
前記通信プロパティを報告する測定報告を送信することと、前記測定報告は、前記候補セルが、前記サービングセルに関する前記キャリアに関連する優れた通信プロパティを示すことを示し、前記優れた通信プロパティは、より高い信号強度、より大きい帯域幅、より高いスループットの少なくとも１つを備え、
前記測定報告を送信したことに応答してチャネル再構成メッセージを受信することと、前記チャネル再構成メッセージが、前記サービングセルに関連するチャネルのセットのチャネルのサブセットをリセットするようにユーザ機器に命令するように構成された、１つまたは複数のリセットフラグを備え、前記１つまたは複数のリセットフラグは、前記候補セルが、前記サービングセルに関する前記キャリアに関連する前記優れた通信プロパティを示すことを示す前記測定報告に基づいて、前記サービングセルと前記候補セルとに関連するコントローラによって前記チャネル再構成メッセージに追加され、前記チャネルのサブセットが、前記チャネルのセットのすべてのチャネルに満たない、および、前記チャネルを含み、
前記チャネル再構成メッセージに基づいて前記チャネルのサブセットをリセットすることと
を行うための実行可能命令を備えるコンピュータ可読媒体。
【請求項４４】
候補セルのキャリアの通信プロパティを監視するための手段と、前記キャリアが、サービングセルによって使用中のチャネルに対応し、
前記通信プロパティを報告する測定報告を送信するための手段と、前記測定報告は、前記候補セルが、前記サービングセルに関する前記キャリアに関連する優れた通信プロパティを示すことを示し、前記優れた通信プロパティは、より高い信号強度、より大きい帯域幅、より高いスループットの少なくとも１つを備え、
前記測定報告を送信したことに応答してチャネル再構成メッセージを受信するための手段と、前記チャネル再構成メッセージが、前記サービングセルに関連するチャネルのセットのチャネルのサブセットをリセットするようにユーザ機器に命令するように構成された、１つまたは複数のリセットフラグを備え、前記１つまたは複数のリセットフラグは、前記候補セルが、前記サービングセルに関する前記キャリアに関連する前記優れた通信プロパティを示すことを示す前記測定報告に基づいて、前記サービングセルと前記候補セルとに関連するコントローラによって前記チャネル再構成メッセージに追加され、前記チャネルのサブセットが、前記チャネルのセットのすべてのチャネルに満たない、および、前記チャネルを含み、
前記チャネル再構成メッセージに基づいて前記チャネルのサブセットをリセットするための手段と
を備える、装置。
【手続補正２】
【補正対象書類名】明細書
【補正対象項目名】００６８
【補正方法】変更
【補正の内容】
【００６８】
上記の開示は、例示的な態様について論じたが、添付の特許請求の範囲によって定義された説明した態様の範囲から逸脱することなく、様々な変更および修正を本明細書で行い得ることに留意されたい。さらに、説明した態様の要素は、単数形で説明または請求されていることがあるが、単数形への限定が明示的に述べられていない限り、複数形が企図される。さらに、任意の態様の全部または一部分は、別段に記載されていない限り、任意の他の態様の全部または一部分とともに利用され得る。
以下に、出願当初の特許請求の範囲に記載された発明を付記する。
［Ｃ１］
選択的チャネルリセットのための方法であって、
候補セルがキャリア上でサービングセルが示すよりも優れた通信プロパティを示すと判断することと、前記キャリアが、前記サービングセルによって使用中のチャネルに対応し、
前記判断することに基づいてチャネル再構成メッセージにリセットフラグを追加することと、前記リセットフラグが、前記サービングセルに関連するチャネルのセットのサブセットをリセットするようにユーザ機器に命令し、前記サブセットが前記チャネルを含み、
前記チャネル再構成メッセージを送信することと
を備える、方法。
［Ｃ２］
前記チャネル再構成メッセージに基づいて前記候補セルに前記チャネルを転送することをさらに備える、Ｃ１に記載の方法。
［Ｃ３］
前記候補セルにハンドオフ指示メッセージを送信することをさらに備える、Ｃ２に記載の方法。
［Ｃ４］
前記チャネル再構成メッセージが高速メディアアクセスチャネル（ＭＡＣ−ＨＳ）リセットメッセージを備える、Ｃ１に記載の方法。
［Ｃ５］
前記チャネル再構成メッセージが、セル転送命令と、前記チャネルに関連するチャネル識別子とをさらに備える、Ｃ１に記載の方法。
［Ｃ６］
前記チャネル再構成メッセージが、前記チャネルの送信電力制御（ＴＰＣ）組合せインデックスの変化を示す、Ｃ１に記載の方法。
［Ｃ７］
前記チャネル再構成メッセージが物理チャネル再構成（ＰＣＲ）メッセージを備える、Ｃ１に記載の方法。
［Ｃ８］
前記チャネル再構成メッセージが複数のリセットフラグを備え、前記複数のリセットフラグの各々が、前記ユーザ機器によって使用中の追加のチャネルに対応する、Ｃ１に記載の方法。
［Ｃ９］
前記複数のリセットフラグの各々が、対応する追加のチャネルをリセットするように前記ユーザ機器に命令する、Ｃ８に記載の方法。
［Ｃ１０］
前記チャネル再構成メッセージがオーバージエアメッセージである、Ｃ１に記載の方法。
［Ｃ１１］
選択的チャネルリセットのために構成された少なくとも１つのプロセッサであって、
候補セルがキャリア上でサービングセルが示すよりも優れた通信プロパティを示すと判断することと、前記キャリアが、前記サービングセルによって使用中のチャネルに対応し、
前記判断することに基づいてチャネル再構成メッセージにリセットフラグを追加することと、前記リセットフラグが、前記サービングセルに関連するチャネルのセットのサブセットをリセットするようにユーザ機器に命令し、前記サブセットが前記チャネルを含み、
前記チャネル再構成メッセージを送信することと
を行うためのコードを備える、少なくとも１つのプロセッサ。
［Ｃ１２］
前記チャネル再構成メッセージに基づいて前記候補セルに前記チャネルを転送するためのコードをさらに備える、Ｃ１１に記載の少なくとも１つのプロセッサ。
［Ｃ１３］
前記候補セルにハンドオフ指示メッセージを送信するためのコードをさらに備える、Ｃ１２に記載の少なくとも１つのプロセッサ。
［Ｃ１４］
前記チャネル再構成メッセージが高速メディアアクセスチャネル（ＭＡＣ−ＨＳ）リセットメッセージを備える、Ｃ１１に記載の少なくとも１つのプロセッサ。
［Ｃ１５］
前記チャネル再構成メッセージが、セル転送命令と、前記チャネルに関連するチャネル識別子とをさらに備える、Ｃ１１に記載の少なくとも１つのプロセッサ。
［Ｃ１６］
前記チャネル再構成メッセージが、前記チャネルの送信電力制御（ＴＰＣ）組合せインデックスの変化を示す、Ｃ１１に記載の少なくとも１つのプロセッサ。
［Ｃ１７］
前記チャネル再構成メッセージが物理チャネル再構成（ＰＣＲ）メッセージを備える、Ｃ１１に記載の少なくとも１つのプロセッサ。
［Ｃ１８］
前記チャネル再構成メッセージが複数のリセットフラグを備え、前記複数のリセットフラグの各々が、前記ユーザ機器によって使用中の追加のチャネルに対応する、Ｃ１１に記載の少なくとも１つのプロセッサ。
［Ｃ１９］
前記複数のリセットフラグの各々が、対応する追加のチャネルをリセットするように前記サービングセルに命令する、Ｃ１８に記載の少なくとも１つのプロセッサ。
［Ｃ２０］
前記チャネル再構成メッセージがオーバージエアメッセージである、Ｃ１１に記載の少なくとも１つのプロセッサ。
［Ｃ２１］
候補セルがキャリア上でサービングセルが示すよりも優れた通信プロパティを示すと判断することであって、前記キャリアが、前記サービングセルによって使用中のチャネルに対応し、
前記判断することに基づいてチャネル再構成メッセージにリセットフラグを追加することと、前記リセットフラグが、前記サービングセルに関連するチャネルのセットのサブセットをリセットするようにユーザ機器に命令し、前記サブセットが前記チャネルを含み、
前記チャネル再構成メッセージを送信することと
を行うための実行可能命令を備えるコンピュータ可読媒体。
［Ｃ２２］
前記チャネル再構成メッセージに基づいて前記候補セルに前記チャネルを転送するための実行可能コードをさらに備える、Ｃ２１に記載のコンピュータ可読媒体。
［Ｃ２３］
前記候補セルにハンドオフ指示メッセージを送信するための実行可能コードをさらに備える、Ｃ２２に記載のコンピュータ可読媒体。
［Ｃ２４］
前記チャネル再構成メッセージが高速メディアアクセスチャネル（ＭＡＣ−ＨＳ）リセットメッセージを備える、Ｃ２１に記載のコンピュータ可読媒体。
［Ｃ２５］
前記チャネル再構成メッセージが、セル転送命令と、前記チャネルに関連するチャネル識別子とをさらに備える、Ｃ２１に記載のコンピュータ可読媒体。
［Ｃ２６］
前記チャネル再構成メッセージが、前記チャネルの送信電力制御（ＴＰＣ）組合せインデックスの変化を示す、Ｃ２１に記載のコンピュータ可読媒体。
［Ｃ２７］
前記チャネル再構成メッセージが物理チャネル再構成（ＰＣＲ）メッセージを備える、Ｃ２１に記載のコンピュータ可読媒体。
［Ｃ２８］
前記チャネル再構成メッセージが複数のリセットフラグを備え、前記複数のリセットフラグの各々が、前記ユーザ機器によって使用中の追加のチャネルに対応する、Ｃ２１に記載のコンピュータ可読媒体。
［Ｃ２９］
前記複数のリセットフラグの各々が、対応する追加のチャネルをリセットするように前記ユーザ機器に命令する、Ｃ２８に記載のコンピュータ可読媒体。
［Ｃ３０］
前記チャネル再構成メッセージがオーバージエアメッセージである、Ｃ２１に記載のコンピュータ可読媒体。
［Ｃ３１］
候補セルがキャリア上でサービングセルが示すよりも優れた通信プロパティを示すと判断するための手段と、前記キャリアが、前記サービングセルによって使用中のチャネルに対応し、
前記判断することに基づいてチャネル再構成メッセージにリセットフラグを追加するための手段と、前記リセットフラグが、前記サービングセルに関連するチャネルのセットのサブセットをリセットするようにユーザ機器に命令し、前記サブセットが前記チャネルを含み、
前記チャネル再構成メッセージを送信するための手段と
を備える、装置。
［Ｃ３２］
前記チャネル再構成メッセージに基づいて前記候補セルに前記チャネルを転送するための手段をさらに備える、Ｃ３１に記載の装置。
［Ｃ３３］
前記候補セルにハンドオフ指示メッセージを送信するための手段をさらに備える、Ｃ３２に記載の装置。
［Ｃ３４］
前記チャネル再構成メッセージが高速メディアアクセスチャネル（ＭＡＣ−ＨＳ）リセットメッセージを備える、Ｃ３１に記載の装置。
［Ｃ３５］
前記チャネル再構成メッセージが、セル転送命令と、前記チャネルに関連するチャネル識別子とをさらに備える、Ｃ３１に記載の装置。
［Ｃ３６］
前記チャネル再構成メッセージが、前記チャネルの送信電力制御（ＴＰＣ）組合せインデックスの変化を示す、Ｃ３１に記載の装置。
［Ｃ３７］
前記チャネル再構成メッセージが物理チャネル再構成（ＰＣＲ）メッセージを備える、Ｃ３１に記載の装置。
［Ｃ３８］
前記チャネル再構成メッセージが複数のリセットフラグを備え、前記複数のリセットフラグの各々が、前記ユーザ機器によって使用中の追加のチャネルに対応する、Ｃ３１に記載の装置。
［Ｃ３９］
前記複数のリセットフラグの各々が、対応する追加のチャネルをリセットするように前記ユーザ機器に命令する、Ｃ３８に記載の装置。
［Ｃ４０］
前記チャネル再構成メッセージがオーバージエアメッセージである、Ｃ３１に記載の装置。
［Ｃ４１］
選択的チャネルリセットのための方法であって、
候補セルのキャリアの通信プロパティを監視することと、前記キャリアが、サービングセルによって使用中のチャネルに対応し、
前記通信プロパティを報告する測定報告を送信することと、
前記測定報告を送信したことに応答してチャネル再構成メッセージを受信することと、前記チャネル再構成メッセージが、前記サービングセルに関連するチャネルのセットのサブセットをリセットするようにユーザ機器に命令する、１つまたは複数のリセットフラグを備え、前記サブセットが前記チャネルを含み、、
前記チャネル再構成メッセージに基づいてチャネルの前記サブセットをリセットすることと
を備える、方法。
［Ｃ４２］
選択的チャネルリセットのために構成された少なくとも１つのプロセッサであって、
候補セルのキャリアの通信プロパティを監視することと、前記キャリアが、サービングセルによって使用中のチャネルに対応し、
前記通信プロパティを報告する測定報告を送信することと、
前記測定報告を送信したことに応答してチャネル再構成メッセージを受信することと、前記チャネル再構成メッセージが、前記サービングセルに関連するチャネルのセットのサブセットをリセットするようにユーザ機器に命令する、１つまたは複数のリセットフラグを備え、前記サブセットが前記チャネルを含み、
前記チャネル再構成メッセージに基づいてチャネルの前記サブセットをリセットすることと
を行うためのコードを備える、少なくとも１つのプロセッサ。
［Ｃ４３］
候補セルのキャリアの通信プロパティを監視することと、前記キャリアが、サービングセルによって使用中のチャネルに対応し、
前記通信プロパティを報告する測定報告を送信することと、
前記測定報告を送信したことに応答してチャネル再構成メッセージを受信することと、前記チャネル再構成メッセージが、前記サービングセルに関連するチャネルのセットのサブセットをリセットするようにユーザ機器に命令する、１つまたは複数のリセットフラグを備え、前記サブセットが前記チャネルを含み、
前記チャネル再構成メッセージに基づいてチャネルの前記サブセットをリセットすることと
を行うための実行可能命令を備えるコンピュータ可読媒体。
［Ｃ４４］
候補セルのキャリアの通信プロパティを監視することと、前記キャリアが、サービングセルによって使用中のチャネルに対応し、
前記通信プロパティを報告する測定報告を送信することと、
前記測定報告を送信したことに応答してチャネル再構成メッセージを受信することと、前記チャネル再構成メッセージが、前記サービングセルに関連するチャネルのセットのサブセットをリセットするようにユーザ機器に命令する、１つまたは複数のリセットフラグを備え、前記サブセットが前記チャネルを含み、
前記チャネル再構成メッセージに基づいてチャネルの前記サブセットをリセットすることと
を備える、装置。
【国際調査報告】
2015505177.tif 000011
2015505177.tif 000012
2015505177.tif 000013